(57)【要約】【課題】サービス利用者側が必要な情報を簡単な操作で情報センタへ要求するようにした車両用情報提供システムを提供する。【解決手段】サービス利用者が取得したい情報ジャンルに対応させて複数の回線を情報提供センタ３０に設け、それぞれ異なる電話番号を割り当てる。車載機１０は、電話番号をハンズフリー／オーディオユニット１７のボタンごとにそれぞれプリセットしておき、プリセットボタンを押下操作することで発呼先電話番号を指定する。登録センタ２１の登録業務端末２２は、情報ジャンルに関する詳細項目をあらかじめ情報提供センタ３０のプロファイルデータベース２３に登録する。情報提供センタ３０は、車載機１０から発呼されると、当該サービス利用者によってあらかじめ登録されている詳細項目に合致する取得情報をコンテンツデータベース２５から取得し、音声案内用の編集情報を作成する。編集情報は、音声情報案内として車載機１０へ送信される。【選択図】図１
2004246566.tif 000002
【特許請求の範囲】
【請求項１】
複数の番号に対応する呼が着信する着信手段、あらかじめ用意されている複数の情報を用いて、前記着信手段に着信した着番号に対応する情報を生成する情報生成手段、および前記情報生成手段による生成情報を前記着信した回線を介して送信する送信手段を備える情報センタと、
前記複数の番号がそれぞれプリセットされる操作部材、前記操作部材からの操作信号に応じて前記プリセットされているいずれかの番号に発呼する発信手段、前記発呼した回線を介して情報を受信する受信手段、および前記受信手段で受信される情報による音声を再生する再生手段を備える車載装置と、を有することを特徴とする車両用情報提供システム。
【請求項２】
請求項１に記載の車両用情報提供システムにおいて、
前記車載装置の前記発信手段は、発呼元を特定するための特定情報を発信し、
前記情報センタは、前記回線を介して受信される前記特定情報により発呼元を特定する認証手段と、前記発呼元ごとにあらかじめ定められた情報生成用情報を記録する記録手段とをさらに備え、
前記情報生成手段は、前記認証手段によって特定された発呼元に関して前記記録手段に記録されている前記情報生成用情報を参照することにより、前記着番号に対応する情報を生成することを特徴とする車両用情報提供システム。
【請求項３】
請求項１または２に記載の車両用情報提供システムにおいて、
前記プリセットされる操作部材は、ハンズフリー通話のための操作部材であることを特徴とする車両用情報提供システム。
【発明の詳細な説明】
【０００１】
【発明の属する技術分野】
本発明は、車両に対して通信網を介して情報を提供する情報提供システムに関する。
【０００２】
【従来の技術】
情報を提供する情報センタとの間で通信を行うことにより、車両などの移動局が必要な情報を情報センタから入手する情報提供システムが知られている（特許文献１参照）。特許文献１によれば、車両に搭載された情報取得装置が、情報センタから提供される情報を携帯電話機を介して取得する。
【０００３】
【特許文献１】
特開平１１−１６００７７号公報
【０００４】
【発明が解決しようとする課題】
車両側のサービス利用者は、必要な情報を情報センタのオペレータに直接対話で要求したり、必要な情報を伝えるメッセージを録音し、この録音メッセージを情報センタへ送信したりする必要がある。サービス利用者が運転動作に忙しい場合は、オペレータとの対話や録音操作を行うことが困難である。
【０００５】
本発明は、サービス利用者側が必要な情報を簡単な操作で情報センタへ要求するようにした車両用情報提供システムを提供するものである。
【０００６】
【課題を解決するための手段】
本発明は、情報センタからの情報を回線を介して車載装置で取得する車両用情報提供システムに適用される。そして、複数の番号に対応する呼が着信する着信手段、あらかじめ用意されている複数の情報を用いて、着信手段に着信した着番号に対応する情報を生成する情報生成手段、および情報生成手段による生成情報を着信した回線を介して送信する送信手段を備える情報センタと、複数の番号がそれぞれプリセットされる操作部材、操作部材からの操作信号に応じてプリセットされているいずれかの番号に発呼する発信手段、発呼した回線を介して情報を受信する受信手段、および受信手段で受信される情報による音声を再生する再生手段を備える車載装置とを有することを特徴とする。
【０００７】
【発明の効果】
本発明によれば、サービス利用者側が必要な情報を簡単な操作で情報センタへ要求するようにした車両用情報提供システムを提供できる。
【０００８】
【発明の実施の形態】
以下、図面を参照して本発明の実施の形態を説明する。
（第一の実施の形態）
図１は、本発明の第一の実施の形態による車両用情報提供システムの概要を説明する全体構成図である。情報提供システムは、たとえば、自動車などの車両に搭載される車載機１０と、情報サービスセンタ２０とによって構成される。情報サービスセンタ２０は一般回線網（不図示）に接続されており、一般回線網を介してサービス利用者に情報を提供する。車載機１０は、無線電話を介して一般回線網にアクセスする。これにより、情報サービスセンタ２０による情報提供サービスを車載機１０から利用できる。
【０００９】
情報サービスセンタ２０は、登録センタ２１と情報提供センタ３０とで構成されている。登録センタ２１および情報提供センタ３０は、互いにネットワークを介して接続されている。サービス利用者は、携帯電話機などの移動体電話機から一般回線網（無線電話網）を経由して情報提供センタ３０へアクセスする。
【００１０】
登録センタ２１は、情報提供センタ３０がサービス利用者へ情報を提供する前に、あらかじめサービス利用者からのサービス利用申し込みを受ける。サービス利用者は、申込書１によってサービス利用を申込む。申込書１には、サービス利用者の氏名や住所、情報提供センタ３０へアクセスする電話機の電話番号などを記入する。なお、申込書１と同様の形式で入力した情報を、サービス利用者がインターネットに接続可能な端末（不図示）からインターネット経由で登録センタ２１へ送信してもよい。登録センタ２１は、利用申込みがあったサービス利用者に関する情報を後述するデータベースに登録する。
【００１１】
情報提供センタ３０は、登録済みのサービス利用者からアクセスされると、サービス利用者が要求する情報を一般回線網（無線電話網）を介してサービス利用者へ提供する。
【００１２】
本発明は、以上の車両用情報提供システムにおいて、サービス利用者が必要な情報を簡単に取得できるように、登録センタ２１および情報提供センタ３０を構成したことに特徴を有する。
【００１３】
車載機１０は、ハンズフリー／オーディオユニット１７と、携帯電話機１１と、マイク１６と、スピーカ１５とを有する。ハンズフリー／オーディオユニット１７および携帯電話機１１間は、接続ケーブル１２で接続されている。なお、ハンズフリー／オーディオユニット１７は、オーディオユニット単体とハンズフリーユニット単体とを組み合わせた構成であってもよい。
【００１４】
ハンズフリー／オーディオユニット１７は、たとえば、ラジオやＣＤ（コンパクト・ディスク）などを再生する機能を有するカーオーディオ装置に、携帯電話機１１用のハンズフリー制御機能を付加したものである。ラジオやＣＤなどを音声再生する場合には、ハンズフリー／オーディオユニット１７がスピーカ１５から音声を再生させる。
【００１５】
ハンズフリー／オーディオユニット１７は、携帯電話機１１でハンズフリー通話を行う際に、マイク１６から入力された音声の情報を携帯電話機１１へ送る。一方、ハンズフリー／オーディオユニット１７は、携帯電話機１１からの音声情報をスピーカ１５で再生させる。ハンズフリー／オーディオユニット１７はさらに、携帯電話機１１に発呼動作を行わせるとき、あらかじめ設定されているダイヤル先の指定を当該携帯電話機１１に対して１ボタン操作で指示可能に構成されている。１ボタン操作とは、１アクションもしくは２アクション程度の軽微な操作のことである。
【００１６】
図２は、ハンズフリー／オーディオユニット１７の拡大図である。図２において、ハンズフリー／オーディオユニット１７には、ボタン群１３と、機能ボタン群１４とが設けられている。機能ボタン群１４は、ハンズフリー／オーディオユニット１７の機能を選択するためのボタンである。機能ボタン群１４は、たとえば、「ＣＤ」、「ＭＤ」、「ＦＭ／ＡＭ」、「ＴＥＬ」、「情報」の機能ボタンを含む。「ＣＤ」はＣＤを再生するためのボタンであり、「ＭＤ」はＭＤ（ミニディスク）を再生するためのボタンである。「ＦＭ／ＡＭ」は、ラジオ放送を受信する際の受信バンド切換えボタンである。「ＴＥＬ」はハンズフリー通話を行うためのボタンである。「情報」は情報提供センタ３０から情報を取得するためのボタンである。
【００１７】
ボタン群１３は、たとえば、「１」、「２」、…、「５」、「６」の６つのボタンを含む。ボタン群１３は、ＣＤおよびＭＤ再生中は早送りや巻き戻しなどの機能が割り付けられる。また、ラジオ放送を聴取中には放送局を選択する選局機能が割り付けられる。各ボタンに対応する選局周波数は、あらかじめボタンごとにプリセットされている。さらに、ハンズフリー利用時には、発呼先（ダイヤル先）を選択する選択機能が割り付けられる。発呼先は、あらかじめボタンごとにプリセットされている。さらにまた、情報取得時には情報取得用の発呼先を選択する選択機能が割り付けられる。この場合の発呼先も、あらかじめボタンごとにプリセットされている。上記各プリセットは、ハンズフリー／オーディオユニット１７の出荷前に工場などで行われる。
【００１８】
図１において、登録センタ２１は登録業務端末２２を有する。登録業務端末２２は、ネットワークを介して情報提供センタ３０と接続されている。登録センタ２１および情報提供センタ３０は、必ずしも同一施設内に設けられていなくてもよい。登録業務端末２２はオペレータによって操作され、上記利用申込みがあったサービス利用者に関する情報を登録する。なお、インターネットを経由した申込みの場合は、登録業務端末２２がサービス利用者の端末から送信された情報を自動的に登録する。登録データは、ネットワークを介して情報提供センタ３０へ送られる。
【００１９】
第一の実施の形態では、サービス利用者が情報サービスセンタ２０から取得したい情報のジャンルなどを、あらかじめサービス内容登録書２によって登録する。情報ジャンルは、たとえば、交通情報や天気情報、占いなど情報の種類である。サービス利用者は、交通情報の取得を希望する場合に、とくに路線や区間等も登録する。天気情報を希望する場合は、エリア等も登録する。占い情報を希望する場合は、生年月日等も登録する。登録センタ２１では、サービス利用者が要求する情報を、当該サービス利用者に関する情報と関連づけてデータベースに登録する。なお、サービス内容登録書２と同様の形式で入力した情報を、サービス利用者がインターネットに接続可能な端末（不図示）からインターネット経由で登録センタ２１へ送信してもよい。
【００２０】
情報提供センタ３０は、ＰＢＸ／ＣＴＩ２８と、受付端末２４と、プロファイルデータベース２３と、コンテンツデータベース２５とを有する。受付端末２４、プロファイルデータベース２３およびコンテンツデータベース２５は、それぞれネットワーク２６に接続されている。ネットワーク２６は、インターネット２７へも接続されている。
【００２１】
ＰＢＸ／ＣＴＩ２８は、一般回線網からの呼を受付端末２４へ接続する。受付端末２４は、一般回線網（無線電話網）を介してサービス利用者の車載機１０との間でデータ通信を行うとともに、提供する情報を送信するためのデータ処理を行う。プロファイルデータベース２３は、登録センタ２１からネットワーク経由で送出されたサービス利用者の情報を格納する。格納された情報は、受付端末２４からの要求によって読み出される。
【００２２】
コンテンツデータベース２５は、サービス利用者に提供する各ジャンルの情報をそれぞれ格納する。コンテンツデータベース２５の情報は、インターネット２７経由で最新の情報に更新されるように構成されている。なお、コンテンツデータベース２５のメンテナンスは、情報提供センタ３０の管理者が行う。
【００２３】
以上の車両用情報提供システムで行われる車両向け情報提供サービスの流れについて、図３のフローチャートを参照して説明する。車載機１０側の処理は、ハンズフリー／オーディオユニット１７が行う。なお、サービス利用者からの申込みおよびサービス内容の登録は、インターネットに接続可能な端末（不図示）によって行う。この場合の端末は、車両に搭載されていない端末でもよい。情報提供センタ３０側の処理は、ＰＢＸ／ＣＴＩ２８および受付端末２４が行う。
【００２４】
図３のステップＳ１１において、サービス利用者の端末（不図示）は、サービス利用者によって申込み操作が行われると、上述した申込み情報を情報提供センタ３０へ送信してステップＳ１２へ進む。情報提供センタ３０へ送信された申込み情報は、プロファイルデータベース２３に格納される。ステップＳ１２において、サービス利用者の端末（不図示）は、サービス利用者によってサービス内容登録操作が行われると、上述した登録情報を情報提供センタ３０へ送信してステップＳ１３へ進む。情報提供センタ３０へ送信された登録情報は、申込み情報に関連づけてプロファイルデータベース２３に格納される。
【００２５】
図４は、登録内容例を示す図である。図４において、情報ジャンルとして１．交通情報、２．天気情報、３．ニュース、４．占い、５．スポーツ、および６．イベントの６つのメニューが用意されている。
【００２６】
各情報ジャンルには、それぞれ、詳細項目が設けられている。交通情報の場合の詳細項目は、たとえば、路線名および区間（インターチェンジ間）である。天気予報の場合の詳細項目は、たとえば、エリアおよび期間（今日・明日／１週間）である。ニュースの場合の詳細項目は、たとえば、ジャンル（一般／経済／スポーツ／政治／芸能など）である。占いの場合の詳細項目は、たとえば、生年月日および血液型である。スポーツの場合の詳細項目は、たとえば、ジャンル（一般／プロ野球／サッカー／相撲など）である。イベントの場合の詳細項目は、たとえば、エリアおよびジャンル（音楽／祭り／フリーマーケットなど）である。
【００２７】
図５は、詳細項目の登録例を示す図である。図５において、１．交通情報に対して路線名が「東名高速道路」に、区間が「厚木インターチェンジ〜東京料金所」に、それぞれ登録されている。このように、サービス利用者は情報ジャンルに対応する詳細項目について、希望する項目をそれぞれ登録する。これにより、プロファイルデータベース２３には、サービス利用申込みを行ったサービス利用者の電話番号に関連づけて、当該サービス利用者が要求する情報ジャンルの詳細項目が登録される。
【００２８】
図３のステップＳ１３以降は、サービス利用時に車載機１０で行う処理である。ステップＳ１３において、ハンズフリー／オーディオユニット１７は、プリセットボタンが押下操作されたか否かを判定する。ハンズフリー／オーディオユニット１７は、機能ボタン群１４およびボタン群１３から操作信号が入力された場合にステップＳ１３を肯定判定してステップＳ１４へ進み、上記ボタン群１４および１３から操作信号が入力されない場合は、ステップＳ１３を否定判定し、当該判定処理を繰り返す。
【００２９】
ステップＳ１４において、ハンズフリー／オーディオユニット１７は、機能ボタン群１４のうち「情報」の機能ボタンに続いてボタン群１３のいずれかのボタンから操作信号が入力されると、当該ボタン（ボタン群１３のいずれか）に対応してあらかじめハンズフリー／オーディオユニット１７にプリセットされている電話番号を示すデータを読み出し、この電話番号をダイヤルするように携帯電話機１１に指令を送る。これにより、携帯電話機１１が情報提供センタ３０へ発呼動作を行う。第一の実施の形態では、ボタン群１３の「１」、「２」、…「５」、「６」の６つのボタンには、それぞれ、１．交通情報、２．天気情報、３．ニュース、４．占い、５．スポーツ、および６．イベントの情報を提供する情報提供センタ３０の電話番号がプリセットされている。
【００３０】
ハンズフリー／オーディオユニット１７は、当該携帯電話機１１の発信元電話番号を情報提供センタ３０へ通知するための番号（たとえば、１８６など）を、情報提供センタ３０の電話番号の前に付加してダイヤルするように、携帯電話機１１に指示する。情報提供センタ３０には複数の回線が設けられており、１．交通情報、２．天気情報、３．ニュース、４．占い、５．スポーツ、および６．イベントの情報ジャンルごとに異なる電話番号が割り付けられている。いずれの電話番号がダイヤルされても、情報提供センタ３０に着信するように構成されている。ハンズフリー／オーディオユニット１７は、発呼動作を行うとステップＳ１５へ進む。
【００３１】
一方、ハンズフリー／オーディオユニット１７は、機能ボタン群１４のうち機能ボタン「ＣＤ」、「ＭＤ」、「ＦＭ／ＡＭ」および「ＴＥＬ」のいずれかから操作信号が入力された場合は、各機能ボタンに対応する動作を行う。たとえば、機能ボタン「ＣＤ」からの操作信号が入力された場合は、ＣＤの再生を行う。なお、本発明は、機能ボタン群１４のうち「情報」の機能ボタンが操作された場合の動作に特徴があるので、機能ボタン「情報」以外の機能ボタンに対応する動作については、詳細な説明を省略する。
【００３２】
ステップＳ３１において、情報提供センタ３０のＰＢＸ／ＣＴＩ２８は、着信があったか否かを判定する。ＰＢＸ／ＣＴＩ２８は、着信があった場合にステップＳ３１を肯定判定してステップＳ３２へ進み、着信がない場合はステップＳ３１を否定判定し、当該判定処理を繰り返す。
【００３３】
ステップＳ３２において、ＰＢＸ／ＣＴＩ２８は着番号を取得する。着番号は、ダイヤルされた電話番号に応じて、すなわち、情報ジャンルに応じて異なる。ＰＢＸ／ＣＴＩ２８はさらに、ダイヤル元（発信元）の携帯電話機１１の電話番号を取得し、着番号ならびに発信元電話番号を受付端末２４へ送るとともに、受付端末２４へ呼を振ってステップＳ３３へ進む。
【００３４】
ステップＳ３３において、受付端末２４は、ユーザ認証を行う。具体的には、取得した発信元電話番号がプロファイルデータベース２３に登録されているか否かを判定する。ユーザ認証は、情報提供システムのサービス利用者を会員に限定する場合に行うものである。登録されている会員（サービス利用者）の携帯電話機１１の電話番号は、上述したサービス利用申込みによってプロファイルデータベース２３に登録されている。受付端末２４は、発信元電話番号がプロファイルデータベース２３に登録されていれば、会員からの着信であることを認識する。
【００３５】
受付端末２４は、発信元の電話番号がプロファイルデータベース２３に登録されている場合に、ステップＳ３３を肯定判定してステップＳ３５へ進む。一方、受付端末２４は、発信元の電話番号がプロファイルデータベース２３に登録されていない場合に、ステップＳ３３を否定判定してステップＳ３４へ進む。ステップＳ３４において、受付端末２４は、以下の未登録音声案内を行う。受付端末２４は、たとえば、「本サービスをご利用になるためには会員登録が必要です。」などの案内情報を車載機１０へ送信し、車載機１０および情報提供センタ３０間の回線を切断した上でステップＳ３１へ戻る。この場合には、ステップＳ１５において、車載機１０のハンズフリー／オーディオユニット１７が案内情報をスピーカ１５から再生する。ハンズフリー／オーディオユニット１７は、情報提供センタ３０から案内情報が送信されない場合はステップＳ１５をスキップする。
【００３６】
ステップＳ３５において、受付端末２４は、上記着番号を認証してサービス利用者が要求するサービス種類（ここでは、情報ジャンル）を決定し、ステップＳ３６へ進む。図３において、サービス種類は着番号別サービス３１０が対応する。たとえば、着番号が＊＊＊＊＊＊１の場合は、サービス種類を１．交通情報に決定する。着番号が＊＊＊＊＊＊２の場合は、２．天気情報に決定する。着番号が＊＊＊＊＊＊３の場合は、３．ニュースに決定する。以降同様に、着番号が＊＊＊＊＊＊６の場合は、サービス種類を６．イベントに決定する。
【００３７】
ステップＳ３６において、受付端末２４は、プロファイルデータベース２３にアクセスし、発信元電話番号および決定したサービス種類を検索キーにして、登録情報要求３１１を送る。登録情報要求３１１は、サービス種類（情報ジャンル）に関して上記ステップＳ１２でサービス内容登録されている詳細項目を要求するものである。この詳細項目を情報生成条件３０５と呼ぶ。受付端末２４は、登録情報要求３１１に応じた情報生成条件３０５をプロファイルデータベース２３から取得すると、ステップＳ３７へ進む。
【００３８】
ステップＳ３７において、受付端末２４は、情報生成処理を行う。具体的には、受付端末２４が情報生成条件３０５に基づいてデータ取得条件３１２を生成し、コンテンツデータベース２５にアクセスし、データ取得条件３１２に合致する情報３１３をコンテンツデータベース２５から取得する。
【００３９】
図６は、データ取得条件３１２、および取得した情報３１３を説明する図である。データ取得条件３１２は、たとえば、「サービス種；交通情報」、「路線；東名」、および「区間；東京料金所〜厚木ＩＣ」によって構成される。取得情報３１３は、たとえば、「東名高速道路（路線）、上り（方向）、海老名ＢＳ（個所）、渋滞（事象）、２Ｋ（距離）」、および「東名高速道路（路線）、上り（方向）、横浜町田ＩＣ（個所）、車線規制（事象）」によって構成される。
【００４０】
受付端末２４は、コンテンツデータベース２５から情報３１３を取得するとステップＳ３８へ進む。ステップＳ３８において、受付端末２４は、取得情報３１３を案内情報に編集する。受付端末２４は、あらかじめ決められているフォームに取得情報３１３の内容を当てはめ、以下のように編集後の編集情報３１５を作成する。「東名高速道路」「東京料金所」から「厚木ＩＣ」間の交通情報は、「上り」方向、「海老名ＢＳ」付近を先頭に「渋滞」「２Ｋ」です。また、「上り」方向、「横浜町田ＩＣ」付近で、「工事」のため「車線規制」されています。
【００４１】
なお、上記編集情報３１５において、「」部は、取得条件３１２および取得情報３１３から随時生成され、フォーム内に当てはめられた文言を表す。受付端末２４はさらに、編集情報３１５を知らせる案内音声をＰＢＸ／ＣＴＩ２８、一般回線網（無線電話網）を経由して車載機１０の携帯電話機１１へ送る。ＰＢＸ／ＣＴＩ２８は、音声案内後に車載機１０および情報提供センタ３０間の回線を切断する。
【００４２】
ステップＳ１６において、車載機１０のハンズフリー／オーディオユニット１７が案内音声をスピーカ１５から再生させることにより、編集情報３１５がサービス利用者に伝えられる。ハンズフリー／オーディオユニット１７は、再生を終了するとステップＳ１３へ戻る。
【００４３】
上述したステップＳ１２において登録したサービス内容は、次回のサービス利用までに変更してもよい。ステップＳ１７において、サービス利用者の端末（不図示）は、サービス利用者によってサービス内容登録変更操作が行われると、変更後の登録情報を情報提供センタ３０へ送信し、ステップＳ１３へ戻る。情報提供センタ３０へ送信された変更後の登録情報は、登録業務端末２２によってプロファイルデータベース２３内の旧登録情報に代えて登録（更新）される。
【００４４】
以上説明した第一の実施の形態によれば、次の作用効果が得られる。
（１）サービス利用者が取得したい情報ジャンル（上記の例では、１．交通情報、２．天気情報、３．ニュース、４．占い、５．スポーツ、および６．イベント）に対応させて複数の回線を情報提供センタ３０に設け、それぞれ異なる電話番号を割り当てる。サービス利用者は、各情報ジャンルに対応する電話番号を選択することで、取得したい情報ジャンルの選択を行うことができる。さらに、電話番号をハンズフリー／オーディオユニット１７のボタン群１３のボタンごとにそれぞれプリセットしておき、プリセットボタンを押下操作することで発呼先電話番号を指定するようにした。この結果、簡単な操作で情報の選択を確実に行うことができる。
【００４５】
（２）情報ジャンルに関する詳細項目（交通情報の場合には、路線名および区間）をあらかじめ情報提供センタ３０のプロファイルデータベース２３に登録しておく。情報提供センタ３０では、当該サービス利用者によってあらかじめ登録されている詳細項目に合致する取得情報３１３をコンテンツデータベース２５から取得し（ステップＳ３７）、あらかじめ決められているフォームに取得情報３１３の内容を当てはめ、音声案内用の編集情報３１５を作成する（ステップＳ３８）ようにした。したがって、情報要求時にサービス利用者が情報ジャンルに関する詳細項目を指定しなくてよいので、サービス利用者が運転中の場合でも、運転動作を妨げるおそれがなく、安全な情報提供システムを提供することができる。また、コンテンツデータベース２５のデータを用いてサービス利用者の要求に応じた情報に編集するので、コンテンツデータベース２５の汎用性が高まり、コンテンツデータベース２５をサービス利用者の要求ごとに複数設ける場合に比べて、運用コストを抑えることができる。さらに、サービス利用者に提供する情報を音声で再生するので、サービス利用者が運転中の場合でも安全に情報を提供できる。
【００４６】
（３）情報提供センタ３０にオペレータを必要としないので、運用コストが安価になる。さらに、サービス利用者にとっても対話する必要がないので、サービス利用者が運転中の場合でも運転動作を妨げるおそれがなく、安全な情報提供システムを提供することができる。
【００４７】
着信した回線を制御するＰＢＸ／ＣＴＩ２８は、省略してもよい。この場合には、着番号および発信元の携帯電話機１１の電話番号の取得を受付端末２４によって行うようにする。
【００４８】
情報提供センタ３０に設けられる複数の回線に対応して、受付端末２４を複数設けるようにしてもよい。
【００４９】
情報提供センタ３０に複数の回線を設ける代わりに、いわゆる代表組サービスならびにダイヤルインサービスを使用することにより、１つの回線を複数のサービス種類（たとえば、交通情報と天気予報など）で共用するようにしてもよい。
【００５０】
サービス内容登録は、サービス利用者が取得したい情報ジャンルのみ行うようにしてもよい。この場合には、１．交通情報、２．天気情報、３．ニュース、４．占い、５．スポーツ、および６．イベントの６つのメニューのうち、希望するものだけを選んで登録する。
【００５１】
受付端末２４は、ステップＳ３５において登録情報要求３１１に応じた生成条件３０５をプロファイルデータベース２３から取得するようにした。この代わりに、ステップＳ３３における認証時に認証ＯＫであれば、その時点でプロファイルデータベース２３から取得するようにしてもよい。
【００５２】
編集情報３１５の作成は、テキストデータを編集して行ってもよいし、あらかじめ録音された音声情報を編集して行うものでもよい。テキストデータで編集した場合は、音声再生用にテキストｔｏスピーチ変換（テキスト読上げ）プログラムを利用して音声情報に変換する。音声情報を編集した場合は、編集後の音声情報をそのまま再生することができる。
【００５３】
情報提供システムのサービス利用者の携帯電話機１１の電話番号をプロファイルデータベース２３に登録するようにした。電話番号の代わりに会員のＩＤを登録してもよい。この場合には、携帯電話機１１からの発呼によって情報提供センタ３０と回線接続した後に、車載機１０側から情報提供センタ３０へＩＤを送信する。受付端末２４は、ＩＤがユーザＩＤデータベース（プロファイルデータベース２３）に登録されていれば、会員からの着信であることがわかる。ＩＤを用いてユーザ認証する場合は携帯電話機１１の発信元電話番号を情報提供センタ３０へ通知するための番号付加が不要になる。
【００５４】
（第二の実施の形態）
図７は、第二の実施の形態によるハンズフリー／オーディオユニット１７Ｂを説明する図である。第二の実施の形態では、第一の実施の形態と異なり、ボタン群１３Ｂの「４０７」、「４０８」、…、「４１１」、「４１２」の６つのボタンに情報を提供する情報提供センタの電話番号があらかじめプリセットされていない。第二の実施の形態では、サービス利用者が、任意に発呼先（情報提供センタのダイヤル先）をプリセットする。
【００５５】
サービス利用者は、サービス登録時に、サービスリスト４０６の中から取得したい情報のジャンル（サービス種類）を選択する。図７の例では、ボタン４０７（ｉｎｆｏ１）にプロ野球速報を、ボタン４０８（ｉｎｆｏ２）に神奈川県東部の天気情報を、ボタン４０９（ｉｎｆｏ３）に東京都多摩地区の天気情報を、ボタン４１０（ｉｎｆｏ４）に血液型占いを、それぞれ登録している。このような登録は、第一の実施の形態と同様にサービス内容登録書もしくはインターネット経由で行う。
【００５６】
サービス利用者は、ボタン群１３Ｂの各ボタンに対し、登録したサービスに対応する発呼先（ダイヤル先）をそれぞれプリセットする。
【００５７】
図８は、第二の実施の形態による車両用情報提供システムで行われる車両向け情報提供サービスの流れを説明するフローチャートである。図８において、情報提供センタ３０Ｂ側の処理は、ＰＢＸ／ＣＴＩ２８および受付端末２４Ｂが行う。第一の実施の形態に比べて、ステップＳ３５が省略される点と、プロファイルデータベース２３Ｂが用いられる点が異なるので、これら相違点を中心に説明する。
【００５８】
図８のステップＳ３３において、受付端末２４Ｂは、上述したユーザ認証を行う。受付端末２４Ｂは、発信元の電話番号がプロファイルデータベース２３Ｂに登録されている場合に、ステップＳ３３を肯定判定してステップＳ３６へ進む。一方、受付端末２４Ｂは、発信元の電話番号がプロファイルデータベース２３Ｂに登録されていない場合に、ステップＳ３３を否定判定してステップＳ３４へ進む。
【００５９】
ステップＳ３６において、受付端末２４Ｂは、プロファイルデータベース２３Ｂにアクセスし、発信元電話番号および着番号を検索キーにして、登録情報要求６０７を送る。この場合の着番号は、上記ボタン群１３Ｂに割り付けられているｉｎｆｏ番号に対応する。登録情報要求６０７は、サービス種類（情報ジャンル）に関してサービス内容登録されている詳細項目を要求するものである。この詳細項目を情報生成条件と呼ぶ。受付端末２４Ｂは、登録情報要求６０７に応じた情報生成条件をプロファイルデータベース２３Ｂから取得すると、ステップＳ３７へ進む。
【００６０】
以上説明した第二の実施の形態によれば、第一の実施の形態と同様に、取得情報の選択を簡単な操作で確実に行うことができる。さらに、サービス利用者が任意にプリセットできるようにしたので、サービス種類（情報ジャンル）の数がハンスフリー／オーディオユニット１７のプリセットボタンの数より多い場合などに、サービス利用者のニーズに応じて情報ジャンルを選択することができるので、サービス利用者の利便性を高めることができる。
【００６１】
上述した第一の実施の形態および第二の実施の形態を組み合わせるようにしてもよい。この場合には、たとえば、ハンズフリー／オーディオユニット１７のボタン群のうち３つにあらかじめ情報提供センタのダイヤル先をプリセットしておき、残りの３つにはサービス利用者が任意にプリセット可能に構成すればよい。
【００６２】
特許請求の範囲における各構成要素と、発明の実施の形態における各構成要素との対応について説明する。着信手段および送信手段は、たとえば、ＰＢＸ／ＣＴＩ２８によって構成される。あらかじめ用意される複数の情報は、たとえば、コンテンツデータベース２５内の情報が対応する。情報生成手段および認証手段は、たとえば、受付端末２４によって構成される。生成情報は、たとえば、編集情報３１５が対応する。操作部材は、たとえば、ボタン群１３によって構成される。発信手段および受信手段は、たとえば、携帯電話機１１およびハンズフリー／オーディオユニット１７によって構成される。再生手段は、たとえば、スピーカ１５によって構成される。発呼元は、たとえば、サービス利用者（携帯電話機１１）が対応する。特定情報は、たとえば、発信元電話番号が対応する。情報生成用情報は、たとえば、サービス内容登録による登録情報が対応する。記録手段は、たとえば、プロファイルデータベース２３によって構成される。なお、本発明の特徴的な機能を損なわない限り、各構成要素は上記構成に限定されるものではない。
【図面の簡単な説明】
【図１】本発明の第一の実施の形態による車両用情報提供システムの概要を説明する全体構成図である。
【図２】ハンズフリー／オーディオユニットの拡大図である。
【図３】車両向け情報提供サービスの流れを説明するフローチャートである。
【図４】登録内容例を示す図である。
【図５】詳細項目の登録例を示す図である。
【図６】データ取得条件および取得した情報を説明する図である。
【図７】第二の実施の形態によるハンズフリー／オーディオユニットを説明する図である。
【図８】第二の実施の形態による車両向け情報提供サービスの流れを説明するフローチャートである。
【符号の説明】
１０…車載機、                    １１…携帯電話機、
１３，１３Ｂ…ボタン群、          １４…機能ボタン群、
１５…スピーカ、                  １６…マイク、
１７…ハンズフリー／オーディオユニット、
２０…情報サービスセンタ、        ２１…登録センタ、
２２…登録業務端末、              ２４，２４Ｂ…受付端末、
２３，２３Ｂ…プロファイルデータベース、
２５…コンテンツデータベース、    ２８…ＰＢＸ／ＣＴＩ、
３０…情報提供センタ
【図１】
2004246566.tif 000003
【図２】
2004246566.tif 000004
【図３】
2004246566.tif 000005
【図４】
2004246566.tif 000006
【図５】
2004246566.tif 000007
【図６】
2004246566.tif 000008
【図７】
2004246566.tif 000009
【図８】
2004246566.tif 000010